(57)【要約】【課題】表示エリア全域において、温度が異なる箇所で相対輝度に差があると、この相対輝度の差が人間の目に焼付き現象として見える。【解決手段】高輝度表示画素および低輝度表示画素の各々について相対輝度劣化分を相対輝度劣化化検出部３０８で検出するとともに、画素個々の隣接画素との温度差を温度差検出部３１１で検出し、この画素個々の隣接画素との温度差を、高輝度表示画素および低輝度表示画素の各々についての相対輝度劣化分が反映された高輝度表示画素の相対輝度劣化分ΔＬａと低輝度表示画素の相対輝度劣化分ΔＬｂとにデータ規格化処理部３１２で規格化（換算）することによって温度補正を行い、この温度補正によって得られた相対輝度劣化分ΔＬａと相対輝度劣化分ΔＬｂとの除算結果ΔＬａ／ΔＬｂに基づいて、温度起因による相対輝度の劣化が一定になるように輝度補正の制御を行う。【選択図】図４
2007286458.tif 000002
【特許請求の範囲】
【請求項１】
一対の基板間に形成された発光素子を含む画素が複数配置されてなる表示部と、
前記一対の基板のうちの一方の基板に前記発光素子の各々に対応して配置され、当該発光素子の漏れ光を検出して光電変換する受光素子群と、
前記発光素子への入力信号と前記受光素子群の各受光素子の検出信号とに基づいて前記発光素子の相対輝度の劣化分を検出する相対輝度劣化検出手段と、
前記表示部における画素個々について隣接画素との間の温度差を検出する温度差検出手段と、
前記温度差検出手段が検出した画素個々の隣接画素との温度差に対して前記相対輝度劣化検出手段が検出した相対輝度の劣化分を反映させて前記発光素子の温度起因による相対輝度の劣化が一定になるように前記発光素子の発光輝度を制御する制御手段と
を備えたことを特徴とする表示装置。
【請求項２】
前記温度センサ群の各温度センサは、前記一対の基板のうちの光取り出し方向と反対側の基板に配置されている
ことを特徴とする請求項１記載の表示装置。
【請求項３】
前記温度センサ群の各温度センサは、前記反対側の基板を挟んで前記発光素子の各々と対向配置されている
ことを特徴とする請求項２記載の表示装置。
【請求項４】
前記相対輝度劣化検出手段は、前記受光素子群の各受光素子の検出信号に基づいて高輝度表示画素と低輝度表示画素とを識別し、前記高輝度表示画素および前記低輝度表示画素の各々について所定の駆動期間における相対輝度の劣化分を検出し、
前記制御手段は、前記温度差検出手段が検出した画素個々の隣接画素との温度差に対して前記相対輝度劣化検出部が検出した前記高輝度表示画素および前記低輝度表示画素の各々についての相対輝度の劣化分を反映させる規格化処理部を有し、当該規格化処理部の処理結果に基づいて前記発光素子の発光輝度を制御する
ことを特徴とする請求項１記載の表示装置。
【請求項５】
前記制御手段は、
前記規格化処理部で前記高輝度表示画素の輝度変化分が反映された温度差に応じた第１の電圧値を前記低輝度表示画素の輝度変化分が反映された温度差に応じた第２の電圧値で除算する除算演算部と、
前記除算演算部の除算結果を所定の基準値と比較する比較演算部と、
前記比較演算部の比較結果に基づいて輝度補正値を算出する除算比率制御部と、
前記除算比率制御部が算出した画素個々の輝度補正値を基に前記入力信号の信号レベルを制御するレベル制御部とをさらに有する
ことを特徴とする請求項４記載の表示装置。
【請求項６】
前記入力信号に基づいて静止画か動画かを判定する判定部を有し、
前記判定部が静止画と判定したとき、前記入力信号の信号レベルに対して所定の倍率を乗算する
ことを特徴とする請求項１記載の表示装置。
【請求項７】
一対の基板間に形成された発光素子を含む画素が複数配置されてなる表示部と、
前記一対の基板のうちの一方の基板に前記発光素子の各々に対応して配置され、当該発光素子の漏れ光を検出して光電変換する受光素子群と、
前記発光素子への入力信号と前記受光素子群の各受光素子の検出信号とに基づいて前記発光素子の相対輝度の劣化分を検出する相対輝度劣化検出手段と、
前記表示部の周囲温度を検出する温度センサと、
前記表示部における画素個々について前記温度センサが検出した周囲温度との温度差を検出する温度差検出手段と、
前記温度差検出手段が検出した画素個々の周囲温度との温度差に対して前記相対輝度劣化検出手段が検出した相対輝度の劣化分を反映させて前記発光素子の温度起因による相対輝度の劣化が一定になるように前記発光素子の発光輝度を制御する制御手段と
を備えたことを特徴とする表示装置。
【請求項８】
前記温度差検出手段は、前記受光素子群の各受光素子にて検出する前記発光素子の輝度情報から各画素の温度を推定し、この推定した画素温度と前記温度センサが検出した周囲温度との温度差を画素ごとに検出する
ことを特徴とする請求項７記載の表示装置。
【請求項９】
前記相対輝度劣化検出手段は、前記受光素子群の各受光素子の検出信号に基づいて高輝度表示画素と低輝度表示画素とを識別し、前記高輝度表示画素および前記低輝度表示画素の各々について所定の駆動期間における相対輝度の劣化分を検出し、
前記制御手段は、前記温度差検出手段が検出した画素個々の周囲温度との温度差に対して前記相対輝度劣化検出部が検出した前記高輝度表示画素および前記低輝度表示画素の各々についての相対輝度の劣化分を反映させる規格化処理部を有し、当該規格化処理部の処理結果に基づいて前記発光素子の発光輝度を制御する
ことを特徴とする請求項７記載の表示装置。
【請求項１０】
前記制御手段は、
前記規格化処理部で前記高輝度表示画素の輝度変化分が反映された温度差に応じた第１の電圧値を前記低輝度表示画素の輝度変化分が反映された温度差に応じた第２の電圧値で除算する除算演算部と、
前記除算演算部の除算結果を所定の基準値と比較する比較演算部と、
前記比較演算部の比較結果に基づいて輝度補正値を算出する除算比率制御部と、
前記除算比率制御部が算出した画素個々の輝度補正値を基に前記入力信号の信号レベルを制御するレベル制御部とをさらに有する
ことを特徴とする請求項４記載の表示装置。
【請求項１１】
前記入力信号に基づいて静止画か動画かを判定する判定部を有し、
前記判定部が静止画と判定したとき、前記入力信号の信号レベルに対して所定の倍率を乗算する
ことを特徴とする請求項１記載の表示装置。
【請求項１２】
一対の基板間に形成された発光素子を含む画素が複数配置されてなる表示装置の制御方法であって、
前記一対の基板のうちの一方の基板に前記発光素子の各々に対応して配置された発光素子群の各発光素子によって前記発光素子の漏れ光を検出する漏れ光検出ステップと、
前記発光素子への入力信号と前記受光素子群の各受光素子の検出信号とに基づいて前記発光素子の相対輝度の劣化分を検出する相対輝度劣化検出ステップと、
前記表示部における画素個々について隣接画素との間の温度差を検出する温度差検出ステップと、
前記温度差検出ステップで検出した画素個々の隣接画素との温度差に対して前記相対輝度劣化検出ステップで検出した相対輝度の劣化分を反映させて前記発光素子の温度起因による相対輝度の劣化が一定になるように前記発光素子の発光輝度を制御する制御ステップと
を有することを特徴とする表示装置の制御方法。
【請求項１３】
一対の基板間に形成された発光素子を含む画素が複数配置されてなる表示部と、前記表示部の周囲温度を検出する温度センサとを備えた表示装置の制御方法であって、
前記一対の基板のうちの一方の基板に前記発光素子の各々に対応して配置された発光素子群の各発光素子によって前記発光素子の漏れ光を検出する漏れ光検出ステップと、
前記発光素子への入力信号と前記受光素子群の各受光素子の検出信号とに基づいて前記発光素子の相対輝度の劣化分を検出する相対輝度劣化検出ステップと、
前記表示部における画素個々について前記温度センサが検出した周囲温度との温度差を検出する温度差検出ステップと、
前記温度差検出ステップで検出した画素個々の周囲温度との温度差に対して前記相対輝度劣化検出ステップで検出した相対輝度の劣化分を反映させて前記発光素子の温度起因による相対輝度の劣化が一定になるように前記発光素子の発光輝度を制御する制御ステップと
を有することを特徴とする表示装置の制御方法。
【発明の詳細な説明】
【技術分野】
【０００１】
本発明は、表示装置および表示装置の制御方法に関し、特に有機電界発光素子（有機ＥＬ(Electro Luminescence) 素子）等の自発光素子を表示素子として用いた表示装置およびその制御方法に関する。
【背景技術】
【０００２】
近年、発光ダイオード（ＬＥＤ）、レーザダイオード（ＬＤ）、有機ＥＬ素子などの自発光素子を表示素子として用いたパネル型の表示装置（ディスプレイ）の開発が為されている。この種の表示装置は、一般に、自発光素子をマトリクス状に多数配置することによって画面部（表示パネル）が構成され、各素子を映像信号に応じて選択的に発光させることにより、映像の表示が行われる。
【０００３】
表示媒体として、テレビジョン受像機、コンピュータモニター、携帯情報端末などに代表されるように、我々の日常生活の中でディスプレイは大きな役割を担っている。インターネットの進展に伴い、ヒューマンインターフェイスとしてのディスプレイの重要性は益々大きくなっている。このような状況下で、目に優しく、高精細な画面で見やすく、かつ動画に遅れなしにくっきりと綺麗に見える高解像度、高速応答のディスプレイが要求されている。
【０００４】
自発光素子を用いた表示装置は、非自発光素子を用いた表示装置、例えば液晶を用いた液晶表示装置（ＬＣＤ；(Liquid Crystal Display)に比べて、バックライトが不要なために、薄型化、軽量化を実現でき、消費電力の点でも有利であるなどの利点がある。特に、有機ＥＬ素子を用いた有機ＥＬ表示装置は、視野角が広く、視認性が高いこと、素子の応答速度が速いことなどから、近年注目されている。
【０００５】
これに対して、自発光素子、例えば有機ＥＬ素子には、発光に伴う発熱などによって各有機層が劣化し、発光輝度が低下するとともに、発光自体が不安定になるなどの経時的劣化の問題がある。このような問題は、有機ＥＬ表示装置に限らず、他の自発光素子を用いた表示装置、例えばプラズマディスプレイなどでも起こる。
【０００６】
その対策のために、従来は、電流量と発光輝度との比例関係を利用して、デバイスに流れる電流量を抑制することによって温度上昇による輝度劣化を抑えるようにしていた（例えば、特許文献１参照）。
【０００７】
また、走査線とデータ線との交差点の画素近傍に温度センサを配置し、当該温度センサが検出する周囲温度の変化に応じて走査線を駆動する駆動電圧の電圧レベルを制御することにより、周囲温度が変化しても均一で明るい表示を行うようにしていた（例えば、特許文献２参照）。
【０００８】
【特許文献１】特開２００３−３２３１５２号公報
【特許文献２】特開２００３−１５７０５０号公報
【発明の開示】
【発明が解決しようとする課題】
【０００９】
しかしながら、特許文献１記載の従来技術では、デバイスに流れる電流量を抑制するようにしているために、電流量の制御によって発光輝度が低下し、良好な画像表示を提供できないなどの問題があった。
【００１０】
一方、有機ＥＬ素子は発光輝度-印加電圧特性の温度依存性がデバイスごとに異なる。したがって、温度センサの検出出力だけを用いて発光輝度の制御を行う特許文献２記載の従来技術では、デバイス（有機ＥＬ素子）個々の発光輝度-印加電圧特性の温度に起因する変化の違いに対応できないなどの問題がある。
【００１１】
また、有機ＥＬ素子は発光ダイオード特性を示し、温度上昇に伴ってデバイスに流れる電流が比例して大きくなり、結果的に発光輝度と比例関係にあるために、デバイスの劣化を促進する傾向にある。すなわち、有機ＥＬ素子は、温度によって発光輝度が変化する温度特性を持っている。
【００１２】
そして、ある一定輝度で発光させたとき、有機ＥＬ素子の温度が高ければ高い程相対輝度が劣化し易くなる。具体的には、図７に示すように、横軸を駆動時間、縦軸を相対輝度とし、駆動時間が０のときの相対輝度を１とすると、駆動時間が長くなるに連れて相対輝度が劣化するとともに、その輝度劣化曲線が温度によって異なる。
【００１３】
表示エリア全域において、温度が異なる箇所で相対輝度に差があると、この相対輝度の差が人間の目にいわゆる焼付き現象として見える。すなわち、デバイスの温度起因による輝度劣化の違いによって焼付き現象が発生する。このような温度起因による相対輝度の劣化の違いに対しては、単にデバイスに流れる電流量を抑制したり、温度センサの検出出力だけを用いた制御を行ったりするだけでは補正することが困難であり、上記特許文献１，２記載の従来技術を用いたとしても、デバイスの温度起因による相対輝度の劣化の違いによって発生する焼付き現象を抑制することはできない。
【００１４】
そこで、本発明は、デバイスの温度起因による輝度劣化の違いによって発生する焼付き現象を抑制し、滑らかな画像表示を実現可能な表示装置および表示装置の制御方法を提供することを目的とする。
【課題を解決するための手段】
【００１５】
上記目的を達成するために、本発明では、一対の基板間に形成された発光素子を含む画素が複数配置されてなる表示装置において、前記一対の基板のうちの一方の基板に、発光素子の各々に対応して受光素子を配置し、当該受光素子によって発光素子の漏れ光を検出することによって発光素子個々の輝度を検出するとともに、前記発光素子への入力信号と前記受光素子群の各受光素子の検出信号とに基づいて前記発光素子の相対輝度の劣化分を検出する。そして、画素個々の隣接画素との温度差、あるいは、画素個々の画素温度と表示部の周囲温度との温度差に対して上記相対輝度の劣化分を反映させて前記発光素子の温度起因による相対輝度の劣化が一定になるように前記発光素子の発光輝度を制御する。
【００１６】
上記構成の表示装置において、発光素子の相対輝度の劣化分を検出し、当該相対輝度の劣化分を画素個々の隣接画素との温度差、あるいは、画素個々の画素温度と表示部の周囲温度との温度差に反映させて発光素子の温度起因による相対輝度の劣化が一定になるように発光輝度の制御を行うことにより、温度起因による相対輝度の劣化の違いによって発生する焼付き現象を抑制することができる。
【発明の効果】
【００１７】
本発明によれば、発光素子の温度起因による輝度劣化の違いによって発生する焼付き現象を抑制することができるために、滑らかな画像表示を実現できる。
【発明を実施するための最良の形態】
【００１８】
以下、本発明の実施の形態について図面を参照して詳細に説明する。
【００１９】
［第１実施形態］
（上面発光型パネルモジュール）
図１は、本発明の第１実施形態に係る表示装置、例えば有機ＥＬ表示装置に用いられる上面発光型パネルモジュールの構成の概略を示す要部断面図である。
【００２０】
図１に示すように、本実施形態に係る有機ＥＬ表示装置に用いられるパネルモジュール１０Ａは、支持基板１１と対向基板１２とを有し、これら基板１１，１２間に挟持される形で発光素子１３が設けられた構成となっている。支持基板１１は、石英、ガラス等の透明基板やシリコン基板などの中から適宜選択されて用いられる。
【００２１】
ここでは、パネルモジュール１０Ａの駆動方式としてアクティブマトリクス方式を採用するものとする。ただし、パネルモジュール１０Ａの駆動方式としては、アクティブマトリクス方式に限られるものではなく、パッシブマトリクス方式を採用した場合であっても、本発明は適用可能である。
【００２２】
支持基板１１には、発光素子１３を含む画素ごとに、発光素子１３を駆動するトランジスタ、例えばＴＦＴ(Thin Film Transistor;薄膜トランジスタ)が形成されている。支持基板１１にはさらに、ここでの図示を省略した駆動回路、具体的には発光素子１３を含む画素が行列状に２次元配置されてなる表示部を駆動するに当たって、当該表示部の各画素を画素行ごとに配線された走査線を介して行単位で選択する行選択回路や、当該行選択回路によって選択された行の各画素に、画素列ごとに配線されたデータ線を介して表示データを供給するデータ線駆動回路などが設けられている。
【００２３】
発光素子１３は、自発光素子である有機ＥＬ素子からなり、支持基板１１の一主面側中央部の表示領域にマトリクス状（行列状）に２次元配置されている。これらの発光素子１３は、それぞれが例えばＲ（赤）、Ｇ（緑）、Ｂ（青）の各色に発光するものであり、所定の配列形式に従って表示領域に配列されている。また、発光素子１３の相互間には、各発光素子１３を分離する素子分離絶縁層１４が形成されている。この素子分離絶縁層１４の部分に、上記走査線が画素行ごとに配線されることになる。
【００２４】
発光素子１３は、支持基板１１上に各発光素子１３ごとに配列形成される下部電極（陽極）１５と、下部電極１５上に形成され、各色に発光する発光層を含む有機層１６と、各有機層１６および素子分離絶縁層１４を覆う状態でベタ膜状に形成され、各発光素子１３の共通電極となる上部電極（陰極）１７とが順次積層されている。
【００２５】
なお、ここでは、下部電極１５を陽極、上部電極１７を陰極としているが、下部電極１５が陰極で、上部電極１７が陽極であってもよい。また、上部電極１７と対向基板１２との間には、例えば窒化シリコンからなる透明材料膜１８が設けられている。
【００２６】
対向基板１２の表面側には、各発光素子１３の間となる位置、即ち走査線が配線される素子分離絶縁層１４の部位と対向する位置に、受光素子１９が発光素子１３に対応した数だけ配置されている。具体的には、受光素子１９は、対向基板１２の表面側に形成された凹部１２ａを埋め込む状態で設けられている。この凹部１２ａは、支持基板１１と対向基板１２とを対向配置させる前に、エッチング等によって形成されることとする。
【００２７】
なお、ここでは、受光素子１９を対向基板１２の表面側に形成された凹部１２ａに埋め込んだ配置構造を採っているが、対向基板１２における発光素子１３側に凹部を形成し、当該凹部に受光素子１９を埋め込む配置構造や、透明材料膜１８の対向基板１２側に凹部を形成し、当該凹部に受光素子１９を埋め込む配置構造を採ることも可能である。
【００２８】
受光素子１９は、例えばアモルファスシリコン半導体によって形成された高感度受光センサ（可視光センサ）であり、対応関係にある発光素子１３の漏れ光を検出して光電変換し、受光量に応じた電気信号を発生する。発光素子１３と受光素子１９との対応関係については後述する。
【００２９】
受光素子１９としては、アモルファスシリコン半導体によって形成された高感度受光センサに限られるものではなく、受光量に応じて電気信号を発生させることができる周知の受光センサを用いることができる。ただし、受光素子１９として高感度受光センサを用いることで、後述するように、発光素子１３の発光強度に対して２０％程度の光量の漏れ光を検出できる利点がある。
【００３０】
また、有機ＥＬ素子には、その構造上受光素子としての機能を持たせることも可能であることから、有機ＥＬ素子を受光素子１９として用いることも可能である。有機ＥＬ素子を受光素子１９として用いることで、有機ＥＬ表示装置にあっては、発光素子１３と受光素子１９とを同じプロセスで形成することができるために、製造プロセス上有利であるという利点がある。
【００３１】
受光素子１９は、画素の配列ピッチや上部電極１７および透明材料膜１８の膜厚などで決まる発光素子１３に対する配置関係から、発光素子１３の発光強度に対して２０％程度の光量の漏れ光を検出することができる。このように、受光素子１９が発光素子１３の発光強度の２０％程度を受光できれば、当該受光素子１９の受光出力に基づく後述する制御を十分に実現できる。
【００３２】
また、図２の平面図に示すように、受光素子１９はスキャン方向において平面視的に隣接する各発光素子１３の間に配置されている。そして、先述した行選択回路による画素行の走査の際に、ある画素行の発光素子１３が選択されたときに、この選択行の発光素子１３に隣接する一方の受光素子１９が当該発光素子１３の漏れ光をモニタリングする対応関係となっている。この対応関係が先述した発光素子１３と受光素子１９との対応関係である。
【００３３】
すなわち、ある画素行の発光素子１３とこれにスキャン方向に隣接する一方の受光素子１９とが対となり、発光素子１３のスキャン周期と同周期で当該発光素子１３と対応関係にある受光素子１９が発光素子１３の漏れ光をモニタリングすることになる。このタイミング関係により、１つの受光素子１９に対してスキャン方向における両側に隣接して発光素子１３が２個存在していても、受光素子１９が一方の発光素子１３からの光漏れ量のみを受光し、他方の発光素子１３からの光漏れ量を受光することを防止できる。ここで、図２のＡ−Ａ′線に沿った矢視断面図が図１の断面構成図となる。
【００３４】
以上により、発光素子１３の有機層１６からの発光光を対向基板１２側から取り出すいわゆる上面発光型パネルモジュール１０Ａが構成されている。そして、この上面発光型パネルモジュール１０Ａにおいて、光取り出し方向と反対側、即ち支持基板１１側で、当該支持基板１１の一主面（外面）上の発光素子１３と対向する部位に温度センサ２０が設けられている。
【００３５】
温度センサ２０は、支持基板１１の一主面に密着していることで、当該支持基板１１を挟んで対向する発光素子１３の発熱に伴う温度を確実に検知することができる。この温度センサ２０としては、例えば、アモルファスシリコン半導体などによって形成された周知の温度センサを用いることができる。
【００３６】
ここでは、上面発光型パネルモジュール１０Ａを例に挙げたが、本発明は上面発光型パネルモジュール１０Ａへの適用に限られるものではなく、発光素子１３の有機層１６からの発光光を支持基板１１側から取り出すいわゆる下面（ボトム）発光型パネルモジュールに対しても適用可能である。以下に、下面発光型パネルモジュールの構造について説明する。
【００３７】
（下面発光型パネルモジュール）
図３は、本発明の第１実施形態に係る有機ＥＬ表示装置に用いられる下面発光型パネルモジュールの構成の概略を示す要部断面図であり、図中、図１と同等部分には同一符号を付して示している。
【００３８】
図３に示すように、本実施形態に係る有機ＥＬ表示装置に用いられる下面発光型パネルモジュール１０Ｂの場合は、有機層１６からの発光光が支持基板１１側から取り出されるため、上部電極１７は反射性材料で形成され、下部電極１５は透明性材料で形成される。ここで、下部電極１５は、支持基板１１に配置されたＴＦＴを覆う状態で設けられた平坦化絶縁膜（図示省略）上に、各発光素子１３に対応する状態で配置されている。
【００３９】
そして、受光素子１９は、下部電極１５間の平坦化絶縁膜上に、隣接する下部電極１５とは離間する状態で配置されている。また、この受光素子１９で発光素子１３の漏れ光を検出するため、上記受光素子１９を覆う状態で配置される素子分離絶縁層１４は、透明材料によって生成される。一方、温度センサ２０は、光取り出し方向と反対側、即ち対向基板１２側で、当該対向基板１２の一主面（外面）上の発光素子１３と対向する部位に設けられている。
【００４０】
以上の点が、下面発光型パネルモジュール１０Ｂが上面発光型パネルモジュール１０Ａと構造上相違する点であり、それ以外の構造については上面発光型パネルモジュール１０Ａと基本的に同じである。
【００４１】
本実施形態に係る有機ＥＬ表示装置は、以上説明した上面発光型パネルモジュール１０Ａあるいは下面発光型パネルモジュール１０Ｂに加えて、以下に説明する本実施形態に係る制御部を備えており、当該制御部によってパネルモジュール１０Ａ／１０Ｂの表示制御（駆動制御）を行う構成となっている。
【００４２】
（制御部）
図４は、先述した構成を持つパネルモジュール１０Ａ／１０Ｂの制御を行う第２実施形態に係る制御部３０Ａの構成の一例を示すブロック図である。
【００４３】
図４に示すように、本実施形態に係る制御部３０Ａは、レベル制御部３０１、相対レベル調整部３０２、メモリー部３０３、除算部３０４、Ａ／Ｄ（アナログ／デジタル）変換部３０５、メモリー部３０６、乗算部３０７、相対輝度劣化検出部３０８、Ａ／Ｄ変換部３０９、メモリー部３１０、温度差検出部３１１、データ規格化処理部３１２、電圧除算演算部３１３、電圧除算結果比較演算部３１４、電圧除算比率制御部３１５および演算選択制御部３１６を有する構成となっている。
【００４４】
本制御部３０Ａは、入力されるデジタル映像信号に応じてパネルモジュール１０Ａ内の表示部の各画素の表示制御を行う一方、パネルモジュール１０Ａ／１０Ｂに設けられた受光素子群の各受光素子１９の検出信号に基づいて相対輝度劣化量を検出するとともに、パネルモジュール１０Ａに設けられた温度センサ群の各温度センサ２０の検出信号に基づいて各画素の隣接画素との温度差を検出し、これら検出した相対輝度劣化量および温度差に基づいて発光素子１３の温度特性に起因する相対輝度の劣化が一定に（均一に）なるように発光素子１３の駆動制御を行う。
【００４５】
制御部３０Ａにおいて、デジタル映像信号は、レベル制御部３０１および相対レベル調整部３０２を介してメモリー部３０３に供給され、当該メモリー部３０３に各表示画素の階調値が保存された後パネルモジュール１０Ａ／１０Ｂに供給される。レベル制御部３０１および相対レベル調整部３０２の各機能については後述する。
【００４６】
パネルモジュール１０Ａ／１０Ｂにおいては、先述したように、画素が行列状に２次元配置されてなる表示部の各画素を行単位で選択するとともに、この選択行の各画素にデジタル映像信号に応じた表示データを書き込むことにより、デジタル映像信号に応じた階調にて各画素の発光素子１３の発光駆動が行われる。
【００４７】
この行走査による表示駆動により、各画素の発光素子１３が行単位で順に発光すると、各受光素子１９が対応関係にある各発光素子１３の漏れ光を受光し、光電変換して受光量に応じた電圧値として出力する。受光素子１９から出力される電圧値は除算部３０４に供給される。
【００４８】
除算部３０４は、乗算部３０７を介してメモリー部３０３から与えられる階調値で、受光素子１９から出力される電圧値を除算する演算処理を行う。ここで、表示画素の発光強度（発光輝度）が強ければ（明るければ）階調が高く、逆に発光強度が弱ければ（暗ければ）階調が低いということであるため、除算部３０４による除算結果から表示画素の輝度の状態（高輝度であるか低輝度であるか）を認識することができる。この除算結果は、Ａ／Ｄ変換部３０５でデジタルデータに変換され、メモリー部３０６に保存される。
【００４９】
乗算部３０７は、メモリー部３０３に保存されている各表示画素の階調値に対して２０％の乗算処理を行う。ここで、表示画素の階調値に対して２０％の乗算処理を行うのは、先述したように、受光素子１９が受光する漏れ光の受光量が発光素子１３の発光量の２０％程度であることから、除算演算の対象となる受光素子１９からの電圧値とメモリー部３０３からの階調値とを対応させる（揃える）ためである。
【００５０】
なお、ここでは、メモリー部３０３からの階調値に対して乗算部３０７で２０％の乗算処理を行うとしたが、受光素子１９からの電圧値に対して５倍の乗算処理を行うことによっても、除算部３０４での除算演算の対象となる受光素子１９からの電圧値とメモリー部３０３からの階調値とを対応させることができる。
【００５１】
相対輝度劣化検出部３０８は、メモリー部３０６の保存データから、１表示画面における最高輝度もしくはその近傍の輝度で発光する画素を高輝度表示画素、最低輝度もしくはその近傍の輝度で発光する画素を低輝度表示画素として認識し、高輝度表示画素および低輝度表示画素の各々について、乗算部３０７を介してメモリー部３０３から与えられる階調値を基に、所定の駆動期間における相対輝度劣化分を検出する。
【００５２】
先述したように、有機ＥＬ素子は発光ダイオード特性を示し、温度によって発光輝度が変化する温度特性を持っている。そして、ある一定輝度で発光させたとき、温度が高ければ高い程発光輝度（明るさ）が劣化していく。具体的には、駆動時間が長くなるに連れて相対輝度が劣化するとともに、その輝度劣化曲線が温度によって異なる。また、高輝度表示画素と低輝度表示画素とで温度起因による輝度劣化の特性が違い、図５から明らかなように、高輝度表示画素の特性（Ａ）の方が、低輝度表示画素の特性（Ｂ）よりも劣化が顕著である。
【００５３】
パネルモジュール１０Ａ内の温度センサ群の各温度センサ２０は、表示画素の非表示期間において画素個々の温度を検出して電圧値として出力する。温度センサ２０から出力される電圧値はＡ／Ｄ変換部３０９でデジタルデータに変換され、メモリー部３１０に保存される。温度差検出部３１１は、メモリー部３１０に格納されている検出温度についての保存データを基に、画素ごとに隣接する画素、例えば走査順における前の画素との間の温度差（電圧値の差分）を画素個々について検出する。
【００５４】
データ規格化処理部３１２は、輝度と温度との対応関係を示す数値相関データテーブルを有し、温度差検出部３１１で検出された画素個々の隣接画素との温度差に、相対輝度劣化検出部３０８で検出された高輝度表示画素および低輝度表示画素の各々についての相対輝度劣化分を反映させることにより、高輝度表示画素の相対輝度劣化分が反映された隣接画素との温度差に応じた第１の電圧値（以下、「高輝度表示画素の相対輝度劣化分」と記述する）ΔＬａと、低輝度表示画素の相対輝度劣化分が反映された隣接画素との温度差に応じた第２の電圧値（以下、「低輝度表示画素の相対輝度劣化分」と記述する）ΔＬｂとに規格化（換算）する。
【００５５】
電圧除算演算部３１３は、画素個々について、データ規格化処理部３１３で規格化された高輝度表示画素の相対輝度劣化分ΔＬａを低輝度表示画素の相対輝度劣化分ΔＬｂで除算する。この除算結果ΔＬａ／ΔＬｂは、高輝度表示画素の相対輝度劣化分が反映された隣接画素との温度差と低輝度表示画素の相対輝度劣化分が反映された隣接画素との温度差との比であることから、温度起因による輝度劣化の違いによって発生する焼付き現象の程度を表すことになる。以下、除算結果ΔＬａ／ΔＬｂを温度特性焼付き相関係数と呼ぶこととする。
【００５６】
電圧除算結果比較演算部３１４は、画素個々について、電圧除算演算部３１３での除算結果である温度特性焼付き相関係数ΔＬａ／ΔＬｂに基づいて、検出した隣接画素との温度差において温度起因による輝度劣化の違いによって発生する焼付き現象の程度を判定する。
【００５７】
ここで、隣接画素間の温度差と焼付き現象が発生する臨界点（以下、「焼付き発生臨界点」と記述する）との対応関係について説明する。なお、焼付き発生臨界点（数値）は、特許請求の範囲の所定の基準値に相当する。一例として、図６に示すように、隣接画素間の温度差が５℃のときは、焼付き発生臨界点が１．５３となる。これは、温度差５℃のときに焼付き現象が発生する臨界点が１．５３であることを表しており、温度差５℃では温度特性焼付き相関係数ΔＬａ／ΔＬｂが臨界点未満（ΔＬａ／ΔＬｂ＜１．５３）であれば焼付き現象が発生しないことを意味している。
【００５８】
同様に、隣接画素間の温度差が１０℃のときは焼付き発生臨界点が１．４５、隣接画素間の温度差が１５℃のときは焼付き発生臨界点が１．４０、隣接画素間の温度差が２０℃のときは焼付き発生臨界点が１．３６、隣接画素間の温度差が２５℃のときは焼付き発生臨界点が１．３１、隣接画素間の温度差が３０℃のときは焼付き発生臨界点が１．２４、隣接画素間の温度差が３５℃のときは焼付き発生臨界点が１．１９、隣接画素間の温度差が４０℃のときは焼付き発生臨界点が１．１２となる。
【００５９】
すなわち、温度差１０℃ではΔＬａ／ΔＬｂ＜１．４５、温度差１５℃ではΔＬａ／ΔＬｂ＜１．４０、温度差２９℃ではΔＬａ／ΔＬｂ＜１．３６、温度差２５℃ではΔＬａ／ΔＬｂ＜１．３１、温度差３０℃ではΔＬａ／ΔＬｂ＜１．２４、温度差３５℃ではΔＬａ／ΔＬｂ＜１．１９、温度差４０℃ではΔＬａ／ΔＬｂ＜１．１２であれば焼付き現象が発生しないことになる。
【００６０】
したがって、電圧除算結果比較演算部３１４では次のような比較演算処理が行われる。すなわち、ある画素において、検出した隣接画素との温度差が例えば１５℃のときを例に挙げると、上述した隣接画素間の温度差と焼付き発生臨界点との対応関係から、温度特性焼付き相関係数ΔＬａ／ΔＬｂが１．４０以上あるか否か、即ち焼付き現象が発生するか否か、また１．４０以上であれば、焼付き現象の発生程度、即ち焼付き発生臨界点（１．４０）に対する差分を演算する処理が行われる。
【００６１】
電圧除算比率制御部３１５は、電圧除算結果比較演算部３１４による焼付き現象の発生程度の判定結果を基に、焼付き現象が発生しないようにするための制御値を画素個々について算出する。具体的には、電圧除算結果比較演算部３１４で焼付き現象が発生すると判定され、焼付き発生臨界点に対する差分の演算が行われた場合に、その差分に対応した制御値を算出する。この制御値は、発光素子１３の温度特性に起因する相対輝度の劣化が一定（均一）になるように、入力デジタル信号の信号レベルを補正する輝度補正値となる。
【００６２】
ここで、電圧除算演算部３１３、電圧除算結果比較演算部３１４および電圧除算比率制御部３１５には、演算される電圧値と輝度との対応関係を示す対応表が組み込まれていることとする。これにより、輝度補正を行う上で、演算される電圧値がどれくらいの輝度値に相当するかを各回路部ごとに照会できるためにスムーズな補正が可能となる。
【００６３】
演算選択制御部３１６は、電圧除算比率制御部３１５で算出された画素個々の輝度補正値（制御値）を基にして、補正処理の対象画素が高輝度表示画素であるときに、当該高輝度表示画素に対して信号レベル（輝度レベル）の補正を行うか否かの選択制御を行う。そして、演算選択制御部３１６による選択結果を基に、レベル制御部３０１は、高輝度表示画素の信号レベルに対して、電圧除算比率制御部３１５で算出された輝度補正値に応じた補正制御を行う。
【００６４】
相対レベル調整部３０２は、静止画判定部３０２１、切り替えスイッチ３０２２およびレベル調整部３０２３によって構成されている。
【００６５】
静止画判定部３０２１は、例えば図７に示すように、フレームメモリ３０２１１、演算回路３０２１２および判定回路３０２１３からなり、Ｎフレーム目の映像信号レベルＶ１Ｎと、フレームメモリ３０２１１に格納された１フレーム前のＮ−１フレーム目の映像信号レベルＶ１（Ｎ−１）とを用いて、演算回路３０２１２で
［｛Ｖ１Ｎ−Ｖ１（Ｎ−１）｝／Ｖ１（Ｎ−１）］×１００
なる演算処理を行い、その演算結果がＮ−１フレーム目の映像信号レベルＶ１（Ｎ−１）の例えば７０％以下であるか否かを判定回路３０２１３で判定し、７０％以下であるときに静止画であると判定する。当然のことながら、７０％を越えるときは動画となる。
【００６６】
切り替えスイッチ３０２２は、通常は、入力されるデジタル映像信号を直接メモリー部３０３へ供給し、静止画判定部３０２１の判定結果が静止画であるときは入力されるデジタル映像信号を、レベル調整部３０２３を介してメモリー部３０３へ供給する。レベル調整部３０２３は、静止画と判定されたときの映像信号の信号レベルを例えば１００倍に乗算処理を行う。
【００６７】
ここで、静止画と判定されたときに映像信号の信号レベルを１００倍するのは次の理由による。すなわち、先述したように、相対輝度劣化検出部３０８において所定期間（例えば、１フレーム期間）における発光輝度（輝度レベル）の変化分の検出が行われるが、静止画であっても、デバイスの温度変化などに起因してフレーム間において輝度レベルに変動が生じる。そして、１フレーム期間における静止画の輝度レベルの変化分は、１フレーム期間における動画の輝度レベルの変化分に比べて１／１００程度と極めて微小である。
【００６８】
したがって、静止画と判定したときに、映像信号の信号レベルに対して１００倍程度の乗算処理を施すことにより、相対輝度劣化検出部３０８において、前後のフレーム間での微弱な信号レベルの推移（輝度変化）の検出処理を容易に行うことができる。ただし、１００倍という数値は一例に過ぎず、これに限られるものではなく、少なくとも、前後のフレーム間での微弱な信号レベルの推移を検出できる程度の倍率であれば良い。
【００６９】
また、静止画と判定したときに、映像信号の信号レベルに対して１００倍程度の乗算処理を施すことにより、１フレーム期間における輝度レベルの変化分を静止画時と動画時で同程度の電圧値にすることができる。このように、輝度レベルの変化分を静止画時と動画時で同程度の電圧値にすることで、データ規格化処理部３１２→電圧除算部３１３→電圧除算結果比較演算部３１４→電圧除算比率制御部３１５→演算選択制御部３１６→レベル制御部３０１の補正制御系を静止画時と動画時とで共通にできる（分けなくて済む）。この場合は、１００倍という数値が有効に作用する。
【００７０】
なお、静止画時の信号レベルの調整については、静止画時の信号レベルとそれに対応した輝度値との対応表をレベル調整部３０２３にあらかじめ組み込んでおき、この対応表を用いて静止画時の信号レベルをそれに対応した輝度値に設定する構成を採ることも可能である。
【００７１】
上記構成の本実施形態に係る制御部３０Ａを備えた有機ＥＬ表示装置において、発光素子１３として用いられる有機ＥＬ素子は、先述したように、駆動時間が長くなるに連れて相対輝度が劣化するとともに、その輝度劣化曲線が温度によって異なる特性を持ち、さらに高輝度表示画素と低輝度表示画素とで温度起因による輝度劣化の特性が違う。そして、デバイスの温度起因による輝度劣化の違いによって焼付き現象が発生する。
【００７２】
このように、有機ＥＬ素子を発光素子１３として用いた表示装置では、有機ＥＬ素子が自発光素子であるが故に、特に同じ表示状態が長く続けばそれだけ温度が上昇する。そして、デバイスの温度起因による輝度劣化の違いによって焼付き現象が発生するという現状において、本実施形態に係る制御部３０Ａを備えた有機ＥＬ表示装置では次のような構成を採ることを特徴としている。
【００７３】
すなわち、発光素子１３の各々に対応して受光素子１９を配置し、当該受光素子１９によって発光素子１３の漏れ光を検出することによって発光素子１３個々の輝度を検出するとともに、温度センサ２０によって発光素子１３を含む画素の各々の温度を検出し、制御部３０Ａによる制御の下に、入力デジタル信号と受光素子１９の検出信号とを用いて所定の駆動期間における相対輝度の劣化分を検出するとともに、温度センサ２０による画素個々の温度情報を用いて画素ごとに隣接画素との温度差を検出し、この温度差に相対輝度の劣化分を反映させて、発光素子１３の温度起因による相対輝度の劣化が一定になるように発光素子１３の発光輝度を制御する構成を採っている。
【００７４】
このように、発光素子１３個々の輝度情報を用いて相対輝度の劣化分を検出し、当該相対輝度の劣化分を画素個々の隣接画素との温度差に反映させて発光素子１３個々の発光輝度の制御を行う、具体的には発光素子１３の温度起因による相対輝度の劣化が一定になるように発光素子１３個々の発光輝度の制御を行うことにより、デバイスの温度起因による相対輝度の劣化の違いによって発生する焼付き現象を抑制することができるために、滑らかな画像表示を実現できる。
【００７５】
本実施形態に係る制御部３０Ａによる輝度制御では、その具体的な制御として、高輝度表示画素および低輝度表示画素の各々について相対輝度劣化分を相対輝度劣化化検出部３０８で検出するとともに、画素個々の隣接画素との温度差を温度変化検出部３１１で検出し、この画素個々の隣接画素との温度差を、高輝度表示画素および低輝度表示画素の各々についての相対輝度劣化分が反映された高輝度表示画素の相対輝度劣化分ΔＬａと低輝度表示画素の相対輝度劣化分ΔＬｂとにデータ規格化処理部３１２で規格化（換算）することによって温度補正を行い、この温度補正によって得られた相対輝度劣化分ΔＬａと相対輝度劣化分ΔＬｂとの除算結果である温度特性焼付き相関係数ΔＬａ／ΔＬｂを基に輝度補正の制御を行うようにしている。
【００７６】
また、本実施形態に係る制御部３０Ａを備えた有機ＥＬ表示装置では、画素個々の温度を検出する温度センサ２０を、上面発光型パネルモジュール１０Ａ、下面発光型パネルモジュール１０Ｂに関わらず、一対の基板１１，１２のうち、光取り出し方向と反対側の支持基板１１に配置した構成を採っていることにより、パネルモジュール１０Ａ／１０Ｂ上において平面視的に温度センサ２０を配置するための余分なスペースを確保する必要がないために、表示エリアを抑制したり、パネルサイズの縮小化を妨げたりすることがない。
【００７７】
しかも、図１や図３から明らかなように、発光素子１３の各々に対して支持基板１１を挟んで温度センサ２０の各々を配向配置していることにより、発光素子１３を含む画素の開口率の低下を招くことがないために、多画素化に伴う高解像度化に有利な構造となり、さらに、温度センサ２０を支持基板１１に密着させているために、当該温度センサ２０によって発光素子１３個々の温度を確実に検出することができる。
【００７８】
なお、上記構成の制御部３０Ａについては、画素が行列状に配置されてなる表示部やその周辺の駆動回路と共に、パネルモジュール１０Ａ／１０Ｂ上に搭載する構成を採っても良いし、あるいは、パネルモジュール１０Ａ／１０Ｂ外に設ける構成を採っても良い。
【００７９】
ここで、本実施形態に係る制御部３０Ａの各構成要素、即ちレベル制御部３０１、相対レベル調整部３０２、メモリー部３０３、除算部３０４、Ａ／Ｄ変換部３０５、メモリー部３０６、乗算部３０７、相対輝度劣化検出部３０８、Ａ／Ｄ変換部３０９、メモリー部３１０、温度差検出部３１１、データ規格化処理部３１２、電圧除算演算部３１３、電圧除算結果比較演算部３１４、電圧除算比率制御部３１５および演算選択制御部３１６については、パーソナルコンピュータのように、所定プログラムを実行することによって情報記憶処理、信号処理、演算処理等の各機能を実行するコンピュータ機器を利用してソフトウェア構成によって実現することが考えられる。ただし、ソフトウェア構成による実現に限られるものではなく、ハードウェア構成、あるいはハードウェアとソフトウェアの複合構成によって実現することも可能である。
【００８０】
（制御方法）
次に、上記構成の本実施形態に係る有機ＥＬ表示装置の制御方法（本発明による表示装置の制御方法）の処理手順について、図８のフローチャートを用いて具体的に説明する。この制御方法による処理は、図４の制御部３０Ａの処理に相当する。なお、この一連の処理は、スキャン周期に同期して画素単位で実行されることとする。
【００８１】
ここでは、一例として、図９に示すように、発光素子１３の初期温度が３０℃であったときに、高輝度表示画素（Ａ）の相対輝度をＬａ（＝１．０）、低輝度表示画素（Ｂ）の相対輝度をＬｂ（＝１．０）とし、所定の駆動期間ｔが経過した後の表示状態での高輝度表示画素の温度が６０℃に上昇し、このときの高輝度表示画素の相対輝度が初期値Ｌａよりも６％劣化（ΔＬａ＝Ｌａ×６％）し、低輝度表示画素の温度が４５℃に上昇し、このときの低輝度表示画素の相対輝度が初期値Ｌｂよりも４％劣化（ΔＬａ＝Ｌａ×４％）している場合の輝度補正制御を例に挙げて説明する。
【００８２】
なお、静止画の場合も動画の場合も制御方法は同じであるために、ここでは、静止画／動画の共通の制御として説明する。
【００８３】
先ず、画像表示のためのデジタル映像信号を取り込み（ステップＳ１１）、当該映像信号の信号レベルで示される階調値を保存し（ステップＳ１２）、しかる後デジタル映像信号をパネルモジュール１０Ａ／１０Ｂに対して入力する（ステップＳ１３）。これにより、パネルモジュール１０Ａ／１０Ｂでは、デジタル入力信号に基づいて画素の表示駆動が行われ、各画素の発光素子１３が発光する。
【００８４】
発光素子１３が発光することにより、対応関係にある受光素子１９が当該発光素子１３の漏れ光を受光し、その受光量に応じた電気信号、即ち発光輝度に応じた電圧値を出力するとともに、発光素子１３に対して支持基板１１を挟んで対向配置された温度センサ２０が当該発光素子１３の温度を検出してその温度に応じた電圧値を出力する。
【００８５】
このように、パネルモジュール１０Ａが表示駆動状態にあるときに、受光素子１９から出力される発光輝度に応じた電圧値（輝度電圧値）を取り込み（ステップＳ１４）、この輝度電圧値をステップＳ１２で保存した階調値で除算し（ステップＳ１５）、デジタルデータ化した後保存する（ステップＳ１６）。
【００８６】
次いで、高輝度表示画素および低輝度表示画素の各々について、ステップＳ１２で保存した階調値を基に、所定の駆動期間における発光輝度の劣化分を検出する（ステップＳ１７）。
【００８７】
なお、ステップＳ１５での除算処理や、ステップＳ１７での輝度劣化分の検出に用いられる階調値は、実際には、受光素子１９が受光する漏れ光の受光量が発光素子１３の発光量の２０％程度であり、受光素子１９からの電圧値に対応させるために、２０％の除算処理が行われたものとなる。
【００８８】
次いで、温度センサ２０から出力される、発光素子１３を含む画素の温度に応じた電圧値（温度電圧値）を取り込み（ステップＳ１８）、画素個々について隣接画素との間の温度差（電圧値の差分）を検出する（ステップＳ１９）。
【００８９】
なお、高輝度表示画素および低輝度表示画素の各々について輝度変化分を検出するためのステップＳ１４〜Ｓ１７の各処理と、画素個々について隣接画素との間の温度差を検出するためのステップＳ１８，Ｓ１９の各処理については、その処理の順番が逆であっても良く、また双方の検出処理を並行して行うようにしても良い。
【００９０】
次に、輝度と温度との対応関係を示す数値相関データテーブルを基に、画素個々の隣接画素との間の温度差を、ステップＳ１７で検出した高輝度表示画素および低輝度表示画素の各々についての輝度劣化分に対応した電圧値（高輝度表示画素の相対輝度劣化分）ΔＬａと、低輝度表示画素の温度変化分に応じた電圧値（低輝度表示画素の相対輝度劣化分）ΔＬｂとに規格化（換算）する（ステップＳ２０）。
【００９１】
ここで、所定の駆動期間ｔが経過した後の３０℃から６０℃への温度変化に伴う高輝度表示画素の相対輝度の劣化が６％のとき、高輝度表示画素の相対輝度劣化分ΔＬａは例えば４．８Ｖの電圧値に規格化され、所定の駆動期間経過後の３０℃から４５℃への温度変化に伴う低輝度表示画素の相対輝度の劣化が４％のとき、低輝度表示画素の相対輝度劣化分ΔＬｂは例えば３．２Ｖの電圧値として規格化されるものとする。
【００９２】
次に、高輝度表示画素の相対輝度劣化分ΔＬａを低輝度表示画素の相対輝度劣化分ΔＬａで除算し（ステップＳ２１）、次いで、高輝度表示画素と低輝度表示画素との温度差ΔＴがΔＴ≧１５℃（＝６０℃−４５℃）であるときの除算結果である温度特性焼付き相関係数ΔＬａ／ΔＬｂを基に、図６に示す温度差と焼付き発生臨界点との対応関係から、温度起因による相対輝度の劣化の違いによる焼付き現象の発生程度を判定する（ステップＳ２２）。
【００９３】
ここでの例では、温度特性焼付き相関係数ΔＬａ／ΔＬｂが、ΔＬａ／ΔＬｂ＝４．８Ｖ／３．２Ｖ＝１．５０であり、図６の対応関係から、高輝度表示画素と低輝度表示画素との温度差ΔＴが１５℃のときの焼付き発生臨界点（１．４０）以上であるために、温度起因による相対輝度の劣化の違いによる焼付き現象が発生すると判定される。そして、焼付き現象の発生程度、即ち温度特性焼付き相関係数ΔＬａ／ΔＬｂの焼付き発生臨界点に対する差を算出する処理が行われる。
【００９４】
ここで、温度特性焼付き相関係数ΔＬａ／ΔＬｂを１．４０未満にするためには、即ち０．１０を越える値だけ減少させるためには、低輝度表示画素の相対輝度劣化分ΔＬｂを約３．４３Ｖ以上にするか、高輝度表示画素の相対輝度劣化分ΔＬａを約４．４８Ｖ以下にすれば良いことになる。そのためには、低輝度表示画素の信号レベルを約０．２３Ｖ（＝３．４３Ｖ−３．２Ｖ）以上増幅させるか、高輝度表示画素の信号レベルを約０．３２Ｖ（＝４．４８Ｖ−４．８Ｖ）以上減衰させるかのいずれか一方を選択することになる。
【００９５】
このような処理をステップＳ２３〜Ｓ２５の各処理ステップで実行することになる。すなわち、温度特性焼付き相関係数ΔＬａ／ΔＬｂを１．０〜１．４の範囲に収めるための輝度補正値（上記の例では、低輝度表示画素に対して０．２３Ｖ／高輝度表示画素に対して０．３２Ｖ）を画素個々について算出し（ステップＳ２３）、次いで、低輝度表示画素に対して信号レベルの増幅による補正を行うのか、高輝度表示画素に対して信号レベルの減衰による補正を行うのかを選択し（ステップＳ２４）、次いで、この選択結果に基づいてデジタル映像信号の画素単位の信号レベル（輝度レベル）に対して増幅制御または減衰制御することによって輝度補正を行う（ステップＳ２５）。
【００９６】
上述した一連の処理により、高輝度表示画素および低輝度表示画素の各々について相対輝度の劣化分を検出し、画素個々の隣接画素との間の温度差を高輝度表示画素および低輝度表示画素の各々についての相対輝度の劣化分に対応した高輝度表示画素の相対輝度劣化分ΔＬａと低輝度表示画素の相対輝度劣化分ΔＬｂとに換算することによって温度補正を行い、この温度補正によって得られた相対輝度劣化分ΔＬａ，ΔＬｂの除算結果である温度特性焼付き相関係数ΔＬａ／ΔＬｂが焼付き発生臨界点未満になるように輝度補正が行われるために、発光素子１３の温度起因による相対輝度の劣化が一定になるような制御が行われる。これにより、発光素子１３の温度起因による相対輝度の劣化の違いによって発生する焼付き現象を抑制することができるために、滑らかな画像表示を実現できる。
【００９７】
以上説明した本実施形態では、画素各々に対応させて温度センサ２０を配置し、当該温度センサによって画素個々の温度を検出して隣接画素間の温度差を検出するとしたが、有機ＥＬ素子が発光ダイオード特性を示し、発光輝度と電流量との間に比例関係があるという特性を利用し、受光素子１９にて検出する発光素子１３の輝度情報から発光素子１３の各々に流れる電流値を推定し、この推定した電流値から消費電力を算出し、この算出した消費電力から画素個々の温度を推定して隣接画素間の温度差を検出する構成を採ることも可能である。
【００９８】
［第２実施形態］
（上面発光型パネルモジュール）
図１１は、本発明の第２実施形態に係る表示装置、例えば有機ＥＬ表示装置に用いられる上面発光型パネルモジュールの構成の概略を示す要部断面図であり、図中、図１と同等部分には同一符号を付して示している。
【００９９】
図１１と図１との対比から明らかなように、本実施形態に係る有機ＥＬ表示装置に用いられるパネルモジュール１０Ｃは、画素ごとに画素個々の温度を検出する温度センサを持たない点で図１に示すパネルモジュール１０Ａと異なっており、それ以外の構造については当該パネルモジュール１０Ａと同じ構造となっている。
【０１００】
（下面発光型パネルモジュール）
図１２は、本発明の第２実施形態に係る有機ＥＬ表示装置に用いられる上面発光型パネルモジュールの構成の概略を示す要部断面図であり、図中、図１と同等部分には同一符号を付して示している。
【０１０１】
図１２と図３との対比から明らかなように、本実施形態に係る有機ＥＬ表示装置に用いられるパネルモジュール１０Ｄは、画素ごとに画素個々の温度を検出する温度センサを持たない点で図３に示すパネルモジュール１０Ｂと異なっており、それ以外の構造については当該パネルモジュール１０Ｂと同じ構造となっている。
【０１０２】
以上説明した上面発光型パネルモジュール１０Ｃあるいは下面発光型パネルモジュール１０Ｄは、画素ごとに画素個々の温度を検出する温度センサを持たない代わりに、画素が行列状に配置されてなる表示部の周辺に少なくとも１個配置され、当該表示部の周辺温度（パネルモジュール１０Ｃ／１０Ｄが置かれる環境温度とも言える）を検出する温度センサ２１（図１２参照）を持つ構成となっている。
【０１０３】
本実施形態に係る有機ＥＬ表示装置は、パネル周縁（表示部の周辺）に温度センサ２１を有する上面発光型パネルモジュール１０Ｃあるいは下面発光型パネルモジュール１０Ｄに加えて、当該パネルモジュール１０Ｃ／１０Ｄの表示制御（駆動制御）を行う制御部を備えている。
【０１０４】
（制御部）
図１２は、パネルモジュール１０Ｃ／１０Ｄの制御を行う第２実施形態に係る制御部３０Ｂの構成の一例を示すブロック図である。なお、上述したように、パネルモジュール１０Ｃ／１０Ｄは、パネル周縁（表示部の周辺）に表示部の周囲温度（非表示部の温度）を検出する温度センサ２１を備えている。
【０１０５】
図１２に示すように、本実施形態に係る制御部３０Ｂは、レベル制御部３２１、相対レベル調整部３２２、メモリー部３２３、除算部３２４、Ａ／Ｄ変換部３２５、メモリー部３２６、乗算部３２７、相対輝度劣化検出部３２８、Ａ／Ｄ変換部３２９、画素温度検出部３３０、温度差検出部３３１、データ規格化処理部３３２、電圧差分演算部３３３、電圧差分結果比較演算部３３４、電圧差分比率制御部３３５および演算選択制御部３３６を有する構成となっている。
【０１０６】
本制御部３０Ｂは、入力されるデジタル映像信号に応じてパネルモジュール１０Ｃ／１０Ｄ内の表示部の各画素の表示制御を行う一方、パネルモジュール１０Ｃ／１０Ｄに設けられた受光素子群の各受光素子１９の検出信号に基づいて相対輝度劣化量を検出するとともに、受光素子１９にて検出する発光素子１３の輝度情報から各画素の温度を推定することによって画素個々の温度を検出し、この検出した画素温度と温度センサ２１による表示部の周囲温度との温度差を画素ごとに検出し、これら検出した相対輝度劣化量および温度差に基づいて発光素子１３の温度特性に起因する相対輝度の劣化が一定に（均一に）なるように発光素子１３の駆動制御を行う。
【０１０７】
この制御部３０Ｂは、受光素子１９にて検出する発光素子１３の輝度情報から各画素の温度を推定し、この推定した画素温度と温度センサ２１による表示部の周囲温度（非表示部の温度）との温度差を画素ごとに検出する点で、温度センサ群の各温度センサ２０が検出した各画素温度から各画素ごとに隣接画素との間の温度差を検出する第１実施形態に係る制御部３０Ａと相違しており、それ以外の構成については制御部３０Ａの構成と基本的に同じである。
【０１０８】
したがって、以下では、制御部３０Ａと相違する点、即ち発光素子１３の輝度情報から各画素の温度を推定し、この推定した画素温度と温度センサ２１による表示部の周囲温度との温度差を画素ごとに検出するための具体的な構成を中心に説明する。
【０１０９】
画素温度検出部３３０は、有機ＥＬ素子が発光ダイオード特性を示し、発光輝度と電流量との間に比例関係があるという特性を利用し、受光素子群の各受光素子１９にて検出する発光素子１３の輝度情報、即ちメモリー部３０６の保存データから発光素子１３の各々に流れる電流値を推定し、この推定した電流値から消費電力を算出し、この算出した消費電力から画素個々の温度を推定することによって画素個々の温度を検出する。
【０１１０】
具体的には、画素温度検出部３３０において、先ず、メモリー部３０６の保存データから発光素子１３の各々に流れる電流値を推定し、この推定した電流値から消費電力を演算する。ここで、発光素子１３では、流れる電流が多くなり、消費電力が増えると、それに比例して温度が比例して上昇する。そこで、消費電力−温度上昇の線形の関係を基に、発光素子１３の消費電力から当該発光素子１３の温度を推定する。画素温度検出部３３０が検出した画素ごとの温度情報は温度差検出部３３１にその一方の入力として供給される。
【０１１１】
一方、パネルモジュール１０Ｃ／１０Ｄの表示部周辺に設けられた温度センサ２１は、表示部の周囲温度、即ちパネルモジュール１０Ｃ／１０Ｄが設置される環境の温度を検出する。温度センサ２１の温度情報は、Ａ／Ｄ変換部３２９でデジタルデータに変換されて温度差検出部３３１にその他方の入力として供給される。温度差検出部３３１は、画素温度検出部３３０で検出された画素個々の温度情報と、温度センサ２１によって検出された表示部の周囲温度との温度差（電圧値の差分）を画素ごとに検出する。
【０１１２】
データ規格化処理部３３２は、輝度と温度との対応関係を示す数値相関データテーブルを有し、温度差検出部３３１で検出された画素温度と周囲温度との温度差に、相対輝度劣化検出部３２８で検出された高輝度表示画素および低輝度表示画素の各々についての相対輝度劣化分を反映させることにより、高輝度表示画素の相対輝度劣化分が反映された画素温度と周囲温度との温度差に応じた高輝度表示画素の相対輝度劣化分ΔＬａと、低輝度表示画素の相対輝度劣化分が反映された画素温度と周囲温度との温度差に応じた低輝度表示画素の相対輝度劣化分ΔＬｂとに規格化（換算）する。
【０１１３】
電圧除算演算部３３３は、画素個々について、データ規格化処理部３３３で規格化された高輝度表示画素の相対輝度劣化分ΔＬａを低輝度表示画素の相対輝度劣化分ΔＬｂで除算する。この除算結果である温度特性焼付き相関係数ΔＬａ／ΔＬｂは、高輝度表示画素の相対輝度劣化分が反映された画素温度と周囲温度との温度差と低輝度表示画素の相対輝度劣化分が反映された画素温度と周囲温度との温度差との比であることから、温度起因による輝度劣化の違いによって発生する焼付き現象の程度を表すことになる。
【０１１４】
電圧除算結果比較演算部３３４は、画素個々について、電圧除算演算部３３３での除算結果である温度特性焼付き相関係数ΔＬａ／ΔＬｂに基づいて、検出した画素温度と周囲温度との温度差において温度起因による輝度劣化の違いによって発生する焼付き現象の程度を判定する。
【０１１５】
画素温度と周囲温度との温度差と焼付き発生臨界点との対応関係については、第１実施形態の場合における隣接画素間の温度差と焼付き発生臨界点との対応関係と同様に考えることができる。
【０１１６】
具体的には、図６において、隣接画素間の温度差を画素温度と周囲温度との温度差と読み替えると、画素温度と周囲温度との温度差が５℃のときは焼付き発生臨界点が１．５３、画素温度と周囲温度との温度差が１０℃のときは焼付き発生臨界点が１．４５、画素温度と周囲温度との温度差が１５℃のときは焼付き発生臨界点が１．４０、画素温度と周囲温度との温度差が２０℃のときは焼付き発生臨界点が１．３６、画素温度と周囲温度との温度差が２５℃のときは焼付き発生臨界点が１．３１、画素温度と周囲温度との温度差が３０℃のときは焼付き発生臨界点が１．２４、画素温度と周囲温度との温度差が３５℃のときは焼付き発生臨界点が１．１９、画素温度と周囲温度との温度差が４０℃のときは焼付き発生臨界点が１．１２となる。
【０１１７】
すなわち、温度差５℃ではΔＬａ／ΔＬｂ＜１．５３、温度差１０℃ではΔＬａ／ΔＬｂ＜１．４５、温度差１５℃ではΔＬａ／ΔＬｂ＜１．４０、温度差２９℃ではΔＬａ／ΔＬｂ＜１．３６、温度差２５℃ではΔＬａ／ΔＬｂ＜１．３１、温度差３０℃ではΔＬａ／ΔＬｂ＜１．２４、温度差３５℃ではΔＬａ／ΔＬｂ＜１．１９、温度差４０℃ではΔＬａ／ΔＬｂ＜１．１２であれば焼付き現象が発生しないことになる。
【０１１８】
したがって、電圧除算結果比較演算部３３４では次のような比較演算処理が行われる。すなわち、ある画素において、検出した画素温度と周囲温度との温度差が例えば１５℃のときを例に挙げると、上述した画素温度と周囲温度との温度差と焼付き発生臨界点との対応関係から、温度特性焼付き相関係数ΔＬａ／ΔＬｂが１．４０以上あるか否か、即ち焼付き現象が発生するか否か、また１．４０以上であれば、焼付き現象の発生程度、即ち焼付き発生臨界点（１．４０）に対する差分を演算する処理が行われる。
【０１１９】
電圧除算比率制御部３３５は、電圧除算結果比較演算部３３４による焼付き現象の発生程度の判定結果を基に、焼付き現象が発生しないようにするための制御値を画素個々について算出する。具体的には、電圧除算結果比較演算部３３４で焼付き現象が発生すると判定され、焼付き発生臨界点に対する差分の演算が行われた場合に、その差分に対応した制御値を算出する。この制御値は、発光素子１３の温度特性に起因する相対輝度の劣化が一定になるように、入力デジタル信号の信号レベルを補正する輝度補正値となる。
【０１２０】
ここで、電圧除算演算部３３３、電圧除算結果比較演算部３３４および電圧除算比率制御部３３５には、演算される電圧値と輝度との対応関係を示す対応表が組み込まれていることとする。これにより、輝度補正を行う上で、演算される電圧値がどれくらいの輝度値に相当するかを各回路部ごとに照会できるためにスムーズな補正が可能となる。
【０１２１】
演算選択制御部３３６は、電圧除算比率制御部３３５で算出された画素個々の輝度補正値（制御値）を基にして、補正処理の対象画素が高輝度表示画素であるときに、当該高輝度表示画素に対して信号レベル（輝度レベル）の補正を行うか否かの選択制御を行う。そして、演算選択制御部３３６による選択結果を基に、レベル制御部３２１は、高輝度表示画素の信号レベルに対して、電圧除算比率制御部３３５で算出された輝度補正値に応じた補正制御を行う。
【０１２２】
ここで、電圧差分演算部３３３、電圧差分結果比較演算部３３４および電圧差分比率制御部３３５には、演算される電圧値と輝度との対応関係を示す対応表が組み込まれていることとする。これにより、輝度補正を行う上で、演算される電圧値がどれくらいの輝度値に相当するかを各回路部ごとに照会できるためにスムーズな補正が可能となる。
【０１２３】
演算選択制御部３３６は、電圧除算比率制御部３３５で算出された画素個々の輝度補正値（制御値）を基にして、補正処理の対象画素が高輝度表示画素であるときに、当該高輝度表示画素に対して信号レベル（輝度レベル）の補正を行うか否かの選択制御を行う。そして、演算選択制御部３３６による選択結果を基に、レベル制御部３２１は、高輝度表示画素の信号レベルに対して、電圧除算比率制御部３３５で算出された輝度補正値に応じた補正制御を行う。
【０１２４】
上記構成の本実施形態に係る制御部３０Ｂを備えた有機ＥＬ表示装置では、その具体的な制御として、高輝度表示画素および低輝度表示画素の各々について相対輝度劣化分を相対輝度劣化化検出部３２８で検出するとともに、画素個々の温度と表示部の周囲温度（非表示部の温度）との温度差を温度差検出部３３１で検出し、この画素個々の周期温度との温度差を、高輝度表示画素および低輝度表示画素の各々についての相対輝度劣化分が反映された高輝度表示画素の相対輝度劣化分ΔＬａと低輝度表示画素の相対輝度劣化分ΔＬｂとにデータ規格化処理部３３２で規格化（換算）することによって温度補正を行い、この温度補正によって得られた相対輝度劣化分ΔＬａと相対輝度劣化分ΔＬｂとの除算結果、即ち温度特性焼付き相関係数ΔＬａ／ΔＬｂに基づいて輝度補正の制御を行うようにしている。
【０１２５】
このように、発光素子１３個々の輝度情報を用いて相対輝度の劣化分を検出し、当該相対輝度の劣化分を画素個々の周囲温度との温度差に反映させて発光素子１３個々の発光輝度の制御を行う、具体的には発光素子１３の温度起因による相対輝度の劣化が一定になるように発光素子１３個々の発光輝度の制御を行うことにより、デバイスの温度起因による相対輝度の劣化の違いによって発生する焼付き現象を抑制することができるために、滑らかな画像表示を実現できる。それ以外の作用効果は、第１実施形態に係る制御部３０Ａの場合と同じである。
【０１２６】
なお、上記構成の制御部３０Ｂについては、画素が行列状に配置されてなる表示部やその周辺の駆動回路と共に、パネルモジュール１０Ａ上に搭載する構成を採っても良いし、あるいは、パネルモジュール１０Ａ外に設ける構成を採っても良い。
【０１２７】
ここで、本実施形態に係る制御部３０Ｂの各構成要素、即ちレベル制御部３２１、相対レベル調整部３２２、メモリー部３２３、除算部３２４、Ａ／Ｄ変換部３２５、メモリー部３２６、乗算部３２７、相対輝度劣化検出部３２８、Ａ／Ｄ変換部３２９、画素温度検出部３３０、温度差検出部３３１、データ規格化処理部３３２、電圧差分演算部３３３、電圧差分結果比較演算部３３４、電圧差分比率制御部３３５および演算選択制御部３３６については、パーソナルコンピュータのように、所定プログラムを実行することによって情報記憶処理、信号処理、演算処理等の各機能を実行するコンピュータ機器を利用してソフトウェア構成によって実現することが考えられる。ただし、ソフトウェア構成による実現に限られるものではなく、ハードウェア構成、あるいはハードウェアとソフトウェアの複合構成によって実現することも可能である。
【０１２８】
（制御方法）
続いて、上記構成の本実施形態に係る有機ＥＬ表示装置の制御方法（本発明による表示装置の制御方法）の処理手順について、図１３のフローチャートを用いて具体的に説明する。この制御方法による処理は、図１２の制御部３０Ｂの処理に相当する。なお、この一連の処理は、スキャン周期に同期して画素単位で実行されることとする。
【０１２９】
ここでは、一例として、初期状態（非表示状態）において温度センサ２１が表示部の周囲温度（非表示部の温度）として３０℃を検出し、所定の駆動期間ｔが経過した後の表示状態での高輝度表示画素の温度が６０℃に上昇し、このときの高輝度表示画素の相対輝度が初期値Ｌａよりも６％劣化（ΔＬａ＝Ｌａ×６％）し、低輝度表示画素の温度が４５℃に上昇し、このときの低輝度表示画素の相対輝度が初期値Ｌｂよりも４％劣化（ΔＬｂ＝Ｌｂ×４％）している場合の輝度補正制御を例に挙げて説明する（図９参照）。ここで、初期状態での周囲温度３０℃は、発光素子１３の初期温度（非表示状態の温度）が３０℃であることを意味する。
【０１３０】
なお、静止画の場合も動画の場合も制御方法は同じであるために、ここでは、静止画／動画の共通の制御として説明する。
【０１３１】
先ず、画像表示のためのデジタル映像信号を取り込み（ステップＳ３１）、当該映像信号の信号レベルで示される階調値を保存し（ステップＳ３２）、しかる後デジタル映像信号をパネルモジュール１０Ｃ／１０Ｄに対して入力する（ステップＳ３３）。これにより、パネルモジュール１０Ｃ／１０Ｄでは、デジタル入力信号に基づいて画素の表示駆動が行われ、各画素の発光素子１３が発光する。
【０１３２】
発光素子１３が発光することにより、対応関係にある受光素子１９が当該発光素子１３の漏れ光を受光し、その受光量に応じた電気信号、即ち発光輝度に応じた電圧値を出力する。
【０１３３】
このように、パネルモジュール１０Ａが表示駆動状態にあるときに、受光素子１９から出力される発光輝度に応じた電圧値（輝度電圧値）を取り込み（ステップＳ３４）、この輝度電圧値をステップＳ１２で保存した階調値で除算し（ステップＳ３５）、デジタルデータ化した後保存する（ステップＳ３６）。
【０１３４】
次いで、高輝度表示画素および低輝度表示画素の各々について、ステップＳ３２で保存した階調値を基に、所定の駆動期間における発光輝度の劣化分を検出する（ステップＳ３７）。
【０１３５】
なお、ステップＳ３５での除算処理や、ステップＳ３７での輝度劣化分の検出に用いられる階調値は、実際には、受光素子１９が受光する漏れ光の受光量が発光素子１３の発光量の２０％程度であり、受光素子１９からの電圧値に対応させるために、２０％の除算処理が行われたものとなる。
【０１３６】
次に、ステップＳ３４で取り込んだ発光輝度に応じた電圧値（輝度電圧値）を基に発光素子１３の各々に流れる電流値を推定し、この推定した電流値から消費電力を求め（ステップＳ３８）、次いで、この求めた消費電力から発光素子１３の温度を推定することによって画素個々について検出し（ステップＳ３９）、次いで、この検出した画素温度と温度センサ２１によって検出される周囲温度との温度差を検出する（ステップＳ４０）。
【０１３７】
なお、高輝度表示画素および低輝度表示画素の各々について輝度変化分を検出するためのステップＳ３４〜Ｓ３７の各処理と、画素個々について温度変化分を検出するためのステップＳ３８〜Ｓ４０の各処理については、その処理の順番が逆であっても良く、また双方の検出処理を並行して行うようにしても良い。
【０１３８】
次に、輝度と温度との対応関係を示す数値相関データテーブルを基に、画素個々の周囲感度の温度差を、ステップＳ３７で検出した高輝度表示画素および低輝度表示画素の各々についての輝度劣化分に対応した電圧値（高輝度表示画素の相対輝度劣化分）ΔＬａと、低輝度表示画素の温度変化分に応じた電圧値（低輝度表示画素の相対輝度劣化分）ΔＬｂとに規格化（換算）する（ステップＳ４１）。
【０１３９】
ここで、所定の駆動期間ｔが経過した後の３０℃から６０℃への温度変化に伴う高輝度表示画素の相対輝度の劣化が６％のとき、高輝度表示画素の相対輝度劣化分ΔＬａは例えば１．２Ｖの電圧値に規格化され、所定の駆動期間経過後の３０℃から４５℃への温度変化に伴う低輝度表示画素の相対輝度の劣化が４％のとき、低輝度表示画素の相対輝度劣化分ΔＬｂは例えば０．８Ｖの電圧値として規格化されるものとする。
【０１４０】
次に、高輝度表示画素の相対輝度劣化分ΔＬａから低輝度表示画素の相対輝度劣化分ΔＬａを除算（ステップＳ４２）、次いで、高輝度表示画素と低輝度表示画素との温度差ΔＴがΔＴ≧１５℃（＝６０℃−４５℃）であるときの除算結果である温度特性焼付き相関係数がどの程度の焼付き現象の発生程度であるかを判定する（ステップＳ４３）。
【０１４１】
ここでの例では、温度特性焼付き相関係数ΔＬａ／ΔＬｂが、ΔＬａ／ΔＬｂ＝１．２Ｖ／０．８Ｖ＝１．５０であり、図６の対応関係から、高輝度表示画素と低輝度表示画素との温度差ΔＴが１５℃のときの焼付き発生臨界点（１．４０）以上であるために、温度起因による相対輝度の劣化の違いによる焼付き現象が発生すると判定される。そして、焼付き現象の発生程度、即ち温度特性焼付き相関係数ΔＬａ／ΔＬｂの焼付き発生臨界点に対する差を算出する処理が行われる。
【０１４２】
ここで、温度特性焼付き相関係数ΔＬａ／ΔＬｂを１．４０未満にするためには、即ち０．１０を越える値だけ減少させるためには、低輝度表示画素の相対輝度劣化分ΔＬｂを約０．８５８Ｖ以上にするか、高輝度表示画素の相対輝度劣化分ΔＬａを約１．１１９Ｖ以下にすれば良いことになる。そのためには、低輝度表示画素の信号レベルを約０．０５８Ｖ（＝０．８５８Ｖ−０．８Ｖ）以上増幅させるか、高輝度表示画素の信号レベルを約０．０８１Ｖ（＝１．２Ｖ−１．１１９Ｖ）以上減衰させるかのいずれか一方を選択することになる。
【０１４３】
このような処理をステップＳ４４〜Ｓ４６の各処理ステップで実行することになる。すなわち、温度特性焼付き相関係数ΔＬａ／ΔＬｂを１．０〜１．４の範囲に収めるための輝度補正値（上記の例では、低輝度表示画素に対して０．０５８Ｖ／高輝度表示画素に対して０．０８１Ｖ）を画素個々について算出し（ステップＳ４４）、次いで、低輝度表示画素に対して信号レベルの増幅による補正を行うのか、高輝度表示画素に対して信号レベルの減衰による補正を行うのかを選択し（ステップＳ４５）、次いで、この選択結果に基づいてデジタル映像信号の画素単位の信号レベル（輝度レベル）に対して増幅制御または減衰制御することによって輝度補正を行う（ステップＳ４６）。
【０１４４】
上述した一連の処理により、高輝度表示画素および低輝度表示画素の各々について相対輝度の劣化分を検出し、画素個々の周囲温度（非表示部の温度）との温度差を高輝度表示画素および低輝度表示画素の各々についての相対輝度の劣化分に対応した高輝度表示画素の相対輝度劣化分ΔＬａと低輝度表示画素の相対輝度劣化分ΔＬｂとに換算することによって温度補正を行い、この温度補正によって得られた相対輝度劣化分ΔＬａ，ΔＬｂの除算結果である温度特性焼付き相関係数ΔＬａ／ΔＬｂが焼付き発生臨界点未満になるように輝度補正が行われるために、発光素子１３の温度起因による相対輝度の劣化が一定になるような制御が行われる。これにより、発光素子１３の温度起因による相対輝度の劣化の違いによって発生する焼付き現象を抑制することができるために、滑らかな画像表示を実現できる。
【０１４５】
以上説明した本実施形態では、有機ＥＬ素子が発光ダイオード特性を示し、発光輝度と電流量との間に比例関係があるという特性を利用し、受光素子１９にて検出する発光素子１３の輝度情報から発光素子１３の各々に流れる電流値を推定し、この推定した電流値から消費電力を算出し、この算出した消費電力から画素個々の温度を推定することによって画素個々について温度を検出し、この検出した画素温度と周囲温度との温度差を検出するとしたが、第１実施形態に係る有機ＥＬ表示装置に用いたパネルモジュール１０Ａ／１０Ｂのように、画素各々に対応させて温度センサ２０を配置し、当該温度センサによって画素個々の温度を検出し、この検出した画素温度周囲温度との温度差を検出する構成を採ることも可能である。
【０１４６】
なお、上記各実施形態では、ＲＧＢ各色を発光する発光素子１３を備えた有機ＥＬ表示装置を例に挙げて説明したが、本発明はこれに限定されるものではなく、白色光を発光する発光素子を備えた有機ＥＬ表示装置にも適用可能である。
【０１４７】
また、上記各実施形態では、発光素子１３の各々の光漏れ量を、それぞれ対応する受光素子１９によって一様にモニタリングすることを前提として説明を行ったが、赤色光、緑色光、青色光あるいは白色光を発光する発光素子ごとに発光強度（発光輝度）が異なることから、各発光色ごとにレベル制御を行って相対的なレベルを揃えるようにしたり、あるいは、光漏れ量をモニタリングする対象となる発光色の種類を初期設定で限定したりすることも可能である。
【０１４８】
また、上記各実施形態では、有機ＥＬ表示装置に適用した場合を例に挙げて説明したが、本発明は有機ＥＬ表示装置への適用に限られるものではなく、有機ＥＬ素子と同様に、デバイスの温度変化に応じて発光輝度が変化する特性を持つＰＤＰ(Plasma Display Panel)等の自発光素子を備えた表示装置全般に適用可能である。
【図面の簡単な説明】
【０１４９】
【図１】本発明の第１実施形態に係る有機ＥＬ表示装置に用いられる上面発光型パネルモジュールの構成の概略を示す要部断面図である。
【図２】上面発光型パネルモジュールの構成の概略を示す平面図である。
【図３】本発明の第１実施形態に係る有機ＥＬ表示装置に用いられる下面発光型パネルモジュールの構成の概略を示す要部断面図である。
【図４】第１実施形態に係る制御部の構成の一例を示すブロック図である。
【図５】除算係数ΔＬａ／ΔＬｂの定義についての説明図である。
【図６】静止画判定部の構成の一例を示すブロック図である。
【図７】有機ＥＬ素子の温度起因による輝度劣化の特性図である。
【図８】第１実施形態に係る制御方法の処理手順を示すフローチャートである。
【図９】高輝度表示画素と低輝度表示画素との相対輝度劣化量を示す図である。
【図１０】本発明の第２実施形態に係る有機ＥＬ表示装置に用いられる上面発光型パネルモジュールの構成の概略を示す要部断面図である。
【図１１】本発明の第２実施形態に係る有機ＥＬ表示装置に用いられる下面発光型パネルモジュールの構成の概略を示す要部断面図である。
【図１２】第２実施形態に係る制御部の構成の一例を示すブロック図である。
【図１３】第２実施形態に係る制御方法の処理手順を示すフローチャートである。
【符号の説明】
【０１５０】
１０Ａ，１０Ｃ…上面発光型パネルモジュール、１０Ｂ，１０Ｄ…上面発光型パネルモジュール、１１…支持基板、１２…対向基板、１３…発光素子（有機ＥＬ素子）、１４…素子分離絶縁層、１５…下部電極、１６…有機層、１７…上部電極、１８…透明材料膜、１９…受光素子、２０，２１…温度センサ、３０Ａ，３０Ｂ…制御部、３０１，３２１…レベル制御部、３０２，３２２…相対レベル調整部、３０３，３０６，３１０，３２３，３２６…メモリー部、３０４，３２４…除算部、３０５，３０９，３２５，３２９…Ａ／Ｄ変換部、３０７，３２７…乗算部、３０８，３２８…相対輝度劣化検出部、３１１，３３１…温度差検出部、３１２，３３２…データ規格化処理部、３１３，３３３…電圧除算演算部、３１４，３３４…電圧除算結果比較演算部、３１５，３３５…電圧除算比率制御部、３１６，３３６…演算選択制御部
【図１】
2007286458.tif 000003
【図２】
2007286458.tif 000004
【図３】
2007286458.tif 000005
【図４】
2007286458.tif 000006
【図５】
2007286458.tif 000007
【図６】
2007286458.tif 000008
【図７】
2007286458.tif 000009
【図８】
2007286458.tif 000010
【図９】
2007286458.tif 000011
【図１０】
2007286458.tif 000012
【図１１】
2007286458.tif 000013
【図１２】
2007286458.tif 000014
【図１３】
2007286458.tif 000015